(57)【要約】【課題】簡単な構造で、スリーブの中に入れられたトレーが摺動する際にクリック音が連続して発生し、スリーブから任意の長さに引き出した状態でトレーを位置決めすることができる包装用箱を提供する。【解決手段】収容物を入れるトレー１２と、トレー１２を摺動可能に収容するスリーブ１４から成る。トレー１２には、係合突起３３が外側に向かって突出している。スリーブ１４には、トレー１２が摺動する時の係合突起３３の進路に、複数の段部１１５が連続して設けられ、段部１１５にトレー１４の係合突起３３が弾性変形して当接する。トレー１２は、商品を置く底面１８と、底面１８に対してほぼ直角に折り曲げて立ち上がる側面２８が、折罫線５４で区切られて形成され、折罫線５４の途中に、コの字形の切込線３１を有する。切込線３１は、開口する部分が側面２８に位置し、反対側の閉鎖する部分が底面１８に位置し、係合突起３３を形成する。【選択図】図１
2015151167.tif 000002
【特許請求の範囲】
【請求項１】
収容物を入れるトレーと、前記トレーを摺動可能に収容するスリーブが設けられ、前記トレーと前記スリーブは、各々紙製のブランクシートを打ち抜いて形成された箱体形成片を組み立てて設けられ、前記トレーには、係合突起が外側に向かって突出して設けられ、前記スリーブには、前記トレーが摺動する時の前記トレーの前記係合突起の進路に複数の段部が連続して設けられ、前記段部に前記トレーの前記係合突起が弾性変形して当接し、前記トレーを前記スリーブから引き出す際に、前記係合突起が前記段部を通過する毎に音が発生することを特徴とする包装用箱。
【請求項２】
前記トレーは、商品を置く底面と、前記底面に対してほぼ直角に折り曲げて立ち上がる側面が折罫線で区切られて連接して設けられ、前記折罫線の途中にコの字形の切込線が設けられ、前記切込線は、開口する部分が前記側面に位置し、反対側の閉鎖する部分が前記底面に位置し、前記切込線の内側の部分は、前記トレーの組立状態で前記折罫線をほぼ直角に折り曲げた時に前記側面と面一で前記底面に対してほぼ直角に外側に突出して、前記係合突起となる請求項１記載の包装用箱。
【請求項３】
前記スリーブは、前記トレーを覆う底面、側面、上面、側面が順に筒状に連接して設けられ、端部に位置する前記側面には前記底面の裏面に糊付けされる糊付片が設けられ、前記糊付片の側縁部には、切欠部が所定の間隔で複数個設けられ、前記切欠部の縁部が、前記トレーの前記係合突起が弾性変形して当接する前記段部となる請求項１記載の包装用箱。
【発明の詳細な説明】
【技術分野】
【０００１】
この発明は、菓子やその他の比較的小形の商品が入れられたトレーと、トレーを収容するスリーブが設けられた包装用箱に関する。
【背景技術】
【０００２】
従来、乾燥した菓子等の小形の商品を包装する包装用箱には、開封する時や、蓋を再び閉める時にクリックの音を生じるものがある。このような包装用箱は、開封作業や閉蓋作業を確認しやすいものである。この音を利用して、特定のリズムを奏でるように工夫するものもある。
【０００３】
特許文献１に記載されている開封時にリズムを奏でる包装用箱は、開封用のジッパを構成する破断線を切断する時に音が発生するものである。破断線は、箱の壁部を貫通し断続する複数の切目部と、各切目部の間に位置する間隔部とにより形成されている。破断線に沿う各切目部の延在長の相対比率は、予め採用したフレーズのリズムを、交互に現れる無音部と有音部で表現した場合の、各無音部の時間長さの相対比率に等しく構成されている。この包装用箱によれば、開封のためジッパを破断する時、上記フレーズのリズムに似せた音が発生するものである。
【０００４】
また、特許文献２に記載されている多重ロック紙箱は、閉蓋時に蓋の再封状態の確認音が連続して発生するものである。正面板の上縁に一部切込み破線を中央部に有する折れ線を介して、反発力を持った複数の同形状の梯形フラップが設けられている。背面板の上縁に蓋天板が設けられ、蓋天板の上縁には蓋正面板が連接されている。蓋天板の両側には三角フラップが設けられ、三角フラップの端部には、蓋正面板の裏面に貼り付けられる階段状フラップが連接されて設けられている。階段状フラップは、一側縁部が階段状に形成され、蓋正面板の裏面に貼り付けられた時に、蓋正面板の裏面に段差を生じて低い部分が梯形凹所となる。閉蓋時は、梯形フラップを外側に折り曲げた状態で蓋天板と蓋正面板を閉じる。このとき折り曲げられた梯形フラップを前記蓋正面板が押さえながら閉じ、梯形フラップが前記蓋正面板の階段状フラップの梯形凹所に入り、梯形フラップが階段状フラップから外れて梯形凹所に入る際に音が発生する。梯形凹所は階段状になっているため、音は異なるタイミングで連続して発生するものである。
【先行技術文献】
【特許文献】
【０００５】
【特許文献１】特開２０１２−１２６４１３号公報
【特許文献２】特開２０１１−２５１７４８号公報
【発明の概要】
【発明が解決しようとする課題】
【０００６】
上記背景技術の場合、開封用のジッパを切断する際に特定フレーズのリズムに似せた音が発生するものや、箱の正面板に蓋正面板が重なって蓋を閉じる際に連続する音が発生するものであり、それら以外の構造の包装用箱には利用することは難しい。例えば、スリーブの中に、収容物を入れたトレーが摺動可能に挿通されているような包装用箱には、応用し難いものである。
【０００７】
この発明は、上記背景技術の問題点に鑑みてなされたものであり、簡単な構造で、スリーブの中に入れられたトレーが摺動する際にクリック音が連続して発生し、またスリーブから任意の長さに引き出した状態でトレーを位置決めすることができる包装用箱を提供することを目的とする。
【課題を解決するための手段】
【０００８】
本発明は、収容物を入れるトレーと、前記トレーを摺動可能に収容するスリーブが設けられ、前記トレーと前記スリーブは、各々紙製のブランクシートを打ち抜いて形成された箱体形成片を組み立てて設けられている包装用箱である。前記トレーには、係合突起が外側に向かって突出して設けられている。前記スリーブには、前記トレーが摺動する時の前記トレーの前記係合突起の進路に、複数の段部が連続して設けられ、前記段部に前記トレーの前記係合突起が弾性変形して当接し、前記トレーを前記スリーブから引き出す際に、前記係合突起が前記段部を通過する毎に音が発生するものである。
【０００９】
前記トレーは、商品を置く底面と、前記底面に対してほぼ直角に折り曲げて立ち上がる側面が折罫線で区切られて連接して設けられ、前記折罫線の途中にコの字形の切込線が設けられ、前記切込線は、開口する部分が前記側面に位置し、反対側の閉鎖する部分が前記底面に位置し、前記切込線の内側の部分は、前記トレーの組立状態で前記折罫線をほぼ直角に折り曲げた時に前記側面と面一で前記底面に対してほぼ直角に外側に突出して、前記係合突起となる。
【００１０】
前記係合突起は、突出した先端に近づくほど幅が狭くなる台形状に形成されている。
【００１１】
前記スリーブは、前記トレーを覆う底面、側面、上面、側面が順に筒状に連接して設けられ、端部に位置する前記側面には前記底面の裏面に糊付けされる糊付片が設けられ、前記糊付片の側縁部には、切欠部が所定の間隔で複数個設けられ、前記切欠部の縁部が、前記トレーの前記係合突起が弾性変形して当接する前記段部となる。
【発明の効果】
【００１２】
本発明の包装用箱は、簡単な構造で、トレーを引き出す際にクリックの音を連続して発生するものであり、独特の感触があり、商品の印象を強くすることができる。また、トレーがどのような長さに引き出された状態でもトレーの係合突起が近傍に位置するスリーブの切欠部に係合され、軽く位置決めされ、不用意にトレーがスリーブから抜けて商品とともに落下することを防ぐことができる。
【図面の簡単な説明】
【００１３】
【図１】この発明の一実施形態の包装用箱の収容物を取り出す状態を示す斜視図である。
【図２】この実施形態の包装用箱の斜視図である。
【図３】この実施形態の包装用箱のトレーの展開図である。
【図４】この実施形態の包装用箱のトレーの斜視図である。
【図５】この実施形態の包装用箱のスリーブの展開図である。
【図６】この実施形態の包装用箱のスリーブの斜視図である。
【発明を実施するための形態】
【００１４】
以下、この発明の実施形態について図面に基づいて説明する。図１〜図６はこの発明の一実施形態を示すもので、この実施形態の包装用箱１０は、菓子やその他の比較的小形の商品を入れるトレー１２と、トレー１２を収容するスリーブ１４が設けられている。トレー１２はスリーブ１４の挿通方向に摺動可能である。
【００１５】
トレー１２は、紙製の一枚のブランクシートを打ち抜いて形成された箱体形成片１６を組み立てて設けられている。図３は箱体形成片１６を表面から見た展開図であり、箱体形成片１６は、一方向に長い矩形の底面１８が設けられ、底面１８の長手方向に沿う側縁部の一方には側面２０が折罫線２２で区切られて設けられ、他方の長手方向に沿う側縁部には側面２４が折罫線２６で区切られて設けられている。底面１８の長手方向に交差する側縁部の一方には側面２８が折罫線３０で区切られて設けられ、他方の長手方向に交差する側縁部には側面３２が折罫線３４で区切られて設けられている。従って、図３において、底面１８の周りを、側面２０，３２，２４，２８が時計回りに順に連接されているものである。側面２０，３２，２４，２８は、底面１８から端部までの長さがほぼ同じである。
【００１６】
折罫線３０の途中には、折罫線３０の中心よりも後述するフラップ３６に近い位置に、コの字形の切込線３１が設けられ、切込線３１は両端部分に近づくにつれて互いの幅が広がる台形状に形成されている。切込線３１は、両端の開口する部分が側面２８に位置し、台形の上底部分である反対側の閉鎖した部分が底面１８に位置している。切込線３１の内側の部分は折罫線３０が途切れており、トレー１２の組立状態で折罫線３０を９０°に折り曲げた時に、側面２８と面一で底面１８に対して直角に外側に突出する係合突起３３となる。
【００１７】
側面２０の、折罫線３０の延長線上に位置する端部には、矩形のフラップ３６が折罫線３８で区切られて設けられている。側面２０の、折罫線２２に対して平行な端部には、折罫線３８と交差する角部に、フラップ３６よりも小さい矩形のフラップ４０が折罫線４２で区切られて設けられている。
【００１８】
側面２４の、折罫線３０の延長線上に位置する端部にも、フラップ３６とほぼ同形状のフラップ５４が折罫線５６で区切られて設けられている。側面２４の、折罫線２６に対して平行な端部には、折罫線５６と交差する角部に、フラップ４０とほぼ同形状のフラップ５８が折罫線６０で区切られて設けられている。
【００１９】
側面２８の、折罫線３０と反対側の端部には、側面２８と同じ幅で連接方向が短い矩形の上面６２が折罫線６４で区切られて設けられている。上面６２の、折罫線６４と反対側の端部には、上面６２より少し小さい幅で連接方向に側面２８とほぼ同じ長さの矩形の内壁面６６が折罫線６８で区切られて設けられている。内壁面６６の、折罫線６８と反対側の端部には、矩形の糊付片７０が折罫線７２で区切られて設けられている。
【００２０】
側面３２は、折罫線３４に対して直角な両側縁部３２ａが、折罫線３４の端部よりも外側に位置するように幅を広くして設けられている。側面３２の、折罫線３４と反対側の端部には、側面３２より少し小さい幅で連接方向の長さも短い矩形の上面７４が、折罫線７６で区切られて設けられている。上面７４の、折罫線７６と反対側の端部には、上面７４と同じ幅で連接方向が側面３２とほぼ同じ長さの矩形の内壁面７８が折罫線８０で区切られて設けられている。内壁面７８の、折罫線８０と反対側の端部には、矩形の糊付片８２が折罫線８４で区切られて設けられている。
【００２１】
次に、トレー１２の組立方法の一例について説明する。なお、ここで図３がトレー１２の箱体形成片１６の表面を見たものであり、箱体形成片１６の表面が凸になる折り方を正折り、そして裏面が凸になる折り方を逆折りと称する。まず、底面１８、側面２０，２４を折罫線２２，２６で９０°に正折りする。次に側面２０，２４から、フラップ３６，４０，５４，５８を、折罫線３８，４２，５６，６０で９０°に正折りし、糊付片７０の裏面に糊１１８を塗布し、折罫線３０，６４，６８を９０°に正折りし、折罫線７２を９０°に逆折して、側面２８、上面６２、内壁面６６でフラップ３６，４０，５４，５８を囲んでコの字形に折り曲げ、糊付片７０は底面１８の裏面に糊１１８で糊付けして固定する。また、糊付片８２の裏面に糊１２０を塗布し、折罫線３４，７６，８０を９０°に正折りし、折罫線８４を９０°に逆折して、側面３２、上面７４、内壁面７８をコの字形に折り曲げ、糊付片８２は底面１８の裏面に糊１２０で糊付けして固定する。底面１８の周囲は側面２０，２４、内壁面６６，７８で囲まれ、商品の収容空間１２２が形成される。これにより、図４に示すトレー１２となる。なお、トレー１２が組み立てられる際に折罫線３０を９０°に正折りすると、切込線３１により係合突起３３の先端が底面１８から離れ、側面２８と面一で底面１８に対して直角に外側に突出する。
【００２２】
次に、スリーブ１４について説明する。スリーブ１４は、紙製の一枚のブランクシートを打ち抜いて形成された箱体形成片９０を組み立てて設けられている。図５は箱体形成片９０を表面から見た展開図であり、箱体形成片９０は、一方向に長い矩形の底面９２が設けられ、底面９２の長手方向に沿う側縁部の一方には、側面９４、上面９６、側面９８が順に連接して一体に設けられている。連接している幅方向は、互いに同じである。底面９２と上面９６は、トレー１２の底面１８よりわずかに大きい矩形に形成され、側面９４，９８は、トレー１２の側面２０，２４よりわずかに大きい矩形に形成されている。側面９８の側縁部には、スリーブ１４の組立状態で底面９２の裏面に糊付けされる糊付片１００が設けられている。そして、底面９２、側面９４、上面９６、側面９８、糊付片１００は、各々折罫線１０２，１０４，１０６，１０８で区切られている。
【００２３】
上面９６の、連接方向に対して交差する端部の一方には、内側に湾曲してくぼむ凹部１１０が設けられている。
【００２４】
糊付片１００は、折罫線１０８から離れるに従って幅が狭くなる台形状に形成されている。折罫線１０８と反対側の側縁部１００ａには、矩形にくぼむ切欠部１１４が所定の等間隔で複数個が設けられている。切欠部１１４の互いに平行な側縁部が段部１１５となり、糊付片１００の側縁部１００ａに対して直角に所定間隔で設けられる。これにより、段部１１５はスリーブ１４の挿通方向に沿って設けられ、トレー１２をスリーブ１４に対して摺動させるときの係合突起３３の進路に沿って設けられる。
【００２５】
次に、スリーブ１４の組立方法の一例について説明する。糊付片１００の表面に糊１１６を塗布し、糊１１６は、折罫線１０８に沿って直線状に塗付される。そして、折罫線１０２，１０４，１０６，１０８を９０°に正折りし、糊付片１００を底面９２の裏面に重ね、糊１１６で接着する。これにより、図６に示すスリーブ１４となる。
【００２６】
トレー１２とスリーブ１４を組み立てた後、トレー１２の収容空間１２２に商品を入れ、スリーブ１４にトレー１２を入れて、図１、図２に示すように包装用箱１０が完成する。この時、スリーブ１４の凹部１１０を有する開口部をトレー１２の側面３２が閉鎖する方向にする。
【００２７】
次に、包装用箱１０の使用方法について説明する。図２は、商品を収容した状態を示すものであり、スリーブ１４の中にトレー１２が完全に入り、スリーブ１４の両端の開口部をトレー１２の側面２８，３２が塞ぎ、商品を取り出すことができない。商品を取り出すときは、スリーブ１４の凹部１１０から露出するトレー１２の上面７４と、底面１８を挟むように保持して、トレー１２をスリーブ１４の凹部１１０を有する開口部から引き出し、図１に示すように、商品を取り出す状態にする。トレー１２の係合突起３３は、スリーブ１４の段部１１５に弾性変形した状態で接触しているため、トレー１２を引き出す際に係合突起３３が糊付片１００の切欠部１１４の縁部である段部１１５を通過する毎にクリックの音が発生し軽く係止される。トレー１２は、スリーブ１４から適宜の位置に引き出された図１の状態で、係合突起３３がスリーブ１４の切欠部１１４の近傍の１個に差し込まれているため、適度に位置決めされる。
【００２８】
そして、トレー１２の折罫線３４，８０，８４の折り角度をなくして１８０°にすると共に折罫線７６を二つ折りし、側面３２、上面７４、内壁面７８により組み立てられていたコの字形を、トレー１２の外側に倒して平坦にして、収容空間１２２の側方端を開口し、収容空間１２２に入れた商品を取り出す。商品を取り出した後は、再び側面３２、上面７４、内壁面７８がコの字形となるように起こして収容空間１２２を閉鎖し、トレー１２をスリーブ１４に押し込み、図２に示す収容状態にする。押し込む際も、係合突起３３が糊付片１００の切欠部１１４の段部１１５を通過する毎にクリックの音が発生する。トレー１２を押し込んで、図２に示す収容状態にした時、側面３２の側縁部３２ａがスリーブ１４の側面９２，９８の端部に当接し、それ以上押しても行き過ぎないように止められる。この時、トレー１２の係合突起３３はスリーブ１４の底面９２の端部に当接し、トレー１２が不用意に摺動することを防ぐ。
【００２９】
この実施形態の包装用箱１０によれば、簡単な構造で、トレー１２を引き出す際にクリック音を連続して発生するものであり、独特の感触があり、商品の印象を強くすることができる。また、トレー１２がどのような長さに引き出された状態でもトレー１２の係合突起３３が近傍に位置するスリーブ１４の切欠部１１４に係合され、軽く位置決めされ、不用意にトレー１２がスリーブ１４から抜けて商品とともに落下することを防ぐ。位置決めは軽く係止されているため、トレー１２をスリーブ１４に戻す時は、弱い力で押すだけで係合が解除され摺動することができ、子供でも簡単に操作することができる。係合突起３３はトレー１２の折罫線３０の途中に一体に設けられ、また係合突起３３が係合する段部１１５はスリーブ１４の糊付片１００に切欠部１１４を連続して設けることで形成され、少ない部品点数でクリックの音を発生させる構造を作ることができ、安価で作業効率がよい。さらに、簡単な構造であるため、自動包装装置で組立を行ってもよい。
【００３０】
なお、この発明の包装用箱は、前記実施形態に限定されず、収容物は菓子以外でもよく、いろいろな商品の包装に使用することができる。トレーとスリーブの大きさと形状は、収容物に合わせて変更可能であり、係合突起が切欠部に確実に当接してクリックの音を生じるものであればよい。切欠部の形状や間隔、数は任意に変更可能であり、音を生じる間隔を切欠部の形状や間隔、数等を変更して調整することができ、また形状や間隔を不均一にして独特のリズムで音が発生するものでもよい。なお、各折罫線の途中には、折り曲げやすくするための破断線が設けられてもよい。
【符号の説明】
【００３１】
１０  包装用箱
１２  トレー
１４  スリーブ
１６，９０  箱体形成片
１８，９２  底面
２０，２４，２８，３２，９４，９８  側面
３０  折罫線
３１  切込線
３３  係合突起
９６，６２，７４  上面
１００  糊付片
１１４  切欠部
１１５  段部
【図１】
2015151167.tif 000003
【図２】
2015151167.tif 000004
【図３】
2015151167.tif 000005
【図４】
2015151167.tif 000006
【図５】
2015151167.tif 000007
【図６】
2015151167.tif 000008